(57)【要約】【課題】【解決手段】靴スタッド１が地面係合部分４を有する、特定の向きにされるスタッド用の靴スタッド及び受け部の組み合わせ体である。スタッド１及び受け部２は、その他の構成要素におけるねじ付きソケット内に回転により挿入し得るようにされた構成要素の１つにおけるねじ付きスピゴット５を備える多条ねじ接続部により、互いに固定し得るようにされている。構成要素の係止手段７は、少なくともスピゴット５がソケット２２内に完全に挿入されたとき、相互に係合して構成要素のねじゆるみ抜けに抵抗し得るように配置されている。係止手段７は、少なくとも１つの係止組立体８を備えており、ねじ接続部のねじ及び係止組立体８の相対的な数及び（又は）位置が受け部２に対するスタッド１の当初位置及び最終位置を決定するような配置とされている。
2005522252.tif 000002
【特許請求の範囲】
【請求項１】
靴スタッド及び受け部という２つの構成要素の組み合わせ体であって、靴スタッド（１）が、地面係合部分（４）を有し、また、前記２つの構成要素が多条ねじ接続部によって互いに固定し得るようになされており、該多条ねじ接続部が、前記２つの多条ねじ接続部の一方に設けられたねじ付きスピゴット（５）にして、前記２つの構成要素の他方に設けられたねじ付きソケット（２２）内に回転しながら挿入されるスピゴット（５）と、少なくとも前記スピゴットが前記ソケット内に完全に挿入されたときに互いに係合して前記２つの構成要素のねじゆるみ抜けに対して抵抗し得るようになる、前記２つの構成要素のための係止手段とを備えており、該係止手段（７）が、少なくとも１つの係止組立体（８）を備えており、前記多条ねじ接続部のねじの条および前記係止組立体の相対的な数および／または位置が、前記受け部に対する前記靴スタッドの最初の位置および最終の位置を決定するようになされていることを特徴とする、靴スタッド及び受け部の組み合わせ体。
【請求項２】
請求項１に記載の靴スタッド及び受け部の組み合わせ体において、多条ねじが二条ねじである、靴スタッド及び受け部の組み合わせ体。
【請求項３】
請求項１に記載の靴スタッド及び受け部の組み合わせ体において、多条ねじが三条ねじである、靴スタッド及び受け部の組み合わせ体。
【請求項４】
請求項１ないし３の何れかに記載の靴スタッド及び受け部の組み合わせ体において、ねじの条の各々が同一の構造を有する、靴スタッド及び受け部の組み合わせ体。
【請求項５】
請求項２に記載の靴スタッド及び受け部の組み合わせ体において、３つの係止組立体（８）が存在する、靴スタッド及び受け部の組み合わせ体。
【請求項６】
請求項３に記載の靴スタッド及び受け部の組み合わせ体において、２つの係止組立体（８）が存在する、靴スタッド及び受け部の組み合わせ体。
【請求項７】
請求項３に記載の靴スタッド及び受け部の組み合わせ体において、４つの係止組立体（８）が存在する、靴スタッド及び受け部の組み合わせ体。
【請求項８】
請求項１ないし７の何れかに記載の靴スタッド及び受け部の組み合わせ体において、係止手段（７）が、１つ以上の係止組立体（８）を備え、係止組立体（８）の１つが、１つ又は複数の他の係止組立体と相違する構造を有する、靴スタッド及び受け部の組み合わせ体。
【請求項９】
請求項１ないし８の何れかに記載の靴スタッド及び受け部の組み合わせ体において、係止組立体（８）が、スタッド（１）及び受け部（２）における半径方向に面した係止形態物であって、スピゴット（５）が所定の軸方向位置までソケット（２２）内にねじ込まれたとき、相互に係合するよう作用可能である前記係止形態物により形成される、靴スタッド及び受け部の組み合わせ体。
【請求項１０】
請求項９に記載の靴スタッド及び受け部の組み合わせ体において、係止形態物の１つが、少なくとも１つの半径方向突起を備える一方、その他の係止形態物が、少なくとも１つの半径方向に向く導入傾斜路（２７）と、凹所（２６）と、ストッパ手段（２８）とを備える、靴スタッド及び受け部の組み合わせ体。
【請求項１１】
請求項１０に記載の靴スタッド及び受け部の組み合わせ体において、突起及び導入傾斜路（２７）の各々が、スピゴット（５）又はソケット（２２）を取り巻く、軸方向に延びるウェブ（１０）に形成されるようにした、靴スタッド及び受け部の組み合わせ体。
【請求項１２】
請求項１０又は請求項１１に記載の靴スタッド及び受け部の組み合わせ体において、１つの係止組立体（８）の突起が、軸方向への延びがより小さい相応する導入傾斜路（２７）を有しており、１つ又は複数のその他の係止組立体よりも大きい軸方向延びを有する、靴スタッド及び受け部の組み合わせ体。
【請求項１３】
請求項１ないし１２の何れかに記載の靴スタッド及び受け部の組み合わせ体において、スタッド（１）が、特定の向きにされるスタッドである、靴スタッド及び受け部の組み合わせ体。
【請求項１４】
請求項１ないし１３の何れかに記載の靴スタッド及び受け部の組み合わせ体において、スタッド（１）が回転非対称形のスタッドである、靴スタッド及び受け部の組み合わせ体。
【発明の詳細な説明】
【技術分野】
【０００１】
本発明は、例えば、フットボール靴及びゴルフ靴といったスポーツ靴のようなスタッド付き履物に関する。「フットボール」という語は、サッカー、ラグビー、アメリカンフットボール及びオーストラリアンフットボールのようなフットボールとして知られた全てのスポーツを包含することを意図するものである。
【背景技術】
【０００２】
スタッドは、関係するスポーツに適した型式の地面係合部分を有して、牽引力を提供することを目的とする。このため、フットボール用のスタッドは、比較的鋭い地面突刺しスパイクを有する傾向となる一方、ゴルフ靴用のスタッドは、現在、幾つかの比較的柔らかく且つ鈍角な地面把持スパイクを有している。スタッドは、該スタッドのねじ付きスピゴットが、靴のソール内に成形または固定された受け部（レセプタクル）内の相応するねじ付きソケット内に係合することによって、履物製品ソールに除去可能に締結される。
【発明の開示】
【発明が解決しようとする課題】
【０００３】
螺合による接続部は、力が加えられたときでさえ、スタッドが所要位置にとどまり、特に、スタッドが偶発的にねじゆるみ抜けしないことを保証し得るような設計としなればならない。既知のスタッドは、一条ねじ又は多条ねじの何れかを有している。一条ねじは、最も簡単なねじ形態であり、多条ねじよりもねじゆるみ抜けに対する大きい抵抗を提供する。一条ねじは、スピゴット及びソケットの幾つかのねじ旋曲部に沿って強力な結合力も提供する。しかし、スタッドを取り付け且つ取り外すのに必要な、ねじを回す回数が多くなるため、除去及び交換は時間を消費する作業となる。多条ねじは、より急峻なヘリックス角度を有しており、このことは、任意の所定の長さを有するスピゴットを、より少ない回転数にてソケット内に挿入することを可能にする。また、多条ねじは一条ねじよりも深く切られており、従って、ねじのせん断強さはより大きく、このためより短いソケットを使用することができる。
【０００４】
一条ねじ又は多条ねじが使用されるかどうかを問わず、スタッド及びソケットは、スタッドの偶発的なねじゆるみ抜けを防止するため係止ラチェットも内蔵している。典型的には、スタッド及びソケットは、各々、スタッドがソケット内に挿入されたとき、互いに係合する一組の歯を有している。歯の配置は、スタッドが完全に挿入されたとき、スタッドがソケットに対して多数の位置の何れか１つにあることを許容するようになされている。
【０００５】
説明したような従来のねじ及び係止ラチェットは、ソールに対するスタッドの回転角度位置の向きが重要でない場合、全く十分である。事実上、現在の殆どのスタッドは、円形であるか、又はさもなければ回転対称形であり、また、靴のソールに対するスタッドの最終的な向きは関係ない。
【０００６】
しかし、スタッドに加わる力が、側方への力であるとか、靴の着用者が急速に前方へ加速することに起因する力であるというように、特殊なものであったり、比較的大きい力であったりする幾つかのスポーツにおいては、特定の向きにされるスタッドであれば、より効果的である。（「特定の向きにされるスタッド」という語は、回転非対称形のスタッド、及び、回転対称形であるが、靴のソールに対するその向きが重要であるスタッドを含むように使用される）。特定の向きにされるスタッドは、スタッドが所望の仕方にて作動することを保証し得るように、靴のソールに対して極めて正確に向きを決められなければならない。既知のねじ及び係止ラチェットは、この正確な向きを与えることができない。例えば、一条ねじは、スタッドの向きをその挿入開始時においては決めることができるが、何回もねじを回して係止ラチェットと係合させると、その最終位置を予見することはできない。多条ねじは、勿論、複数の開始位置を与えることになり、係止ラチェットは、複数の端位置を提供する。
【課題を解決するための手段】
【０００７】
本発明は、スタッドをそのソケット及び受け部に対して比較的正確に向き決めすることが可能であることを保証することを目的とする。靴のソールに対する受け部の向きは勿論、必要ではあるが、本発明の一部を形成するものではない。
【０００８】
本発明によれば、靴スタッド及び受け部という２つの構成要素の組み合わせ体において、靴スタッドは、地面係合部分を有し、また、前記２つの構成要素が多条ねじ接続部によって互いに固定し得るようになされており、該多条ねじ接続部が、前記２つの構成要素の一方に設けられたねじ付きスピゴットにして、前記２つの構成要素の他方に設けられたねじ付きソケット内に回転しながら挿入されるスピゴットと、少なくとも前記スピゴットが前記ソケット内に完全に挿入されたときに互いに係合して前記２つの構成要素のねじゆるみ抜けに対して抵抗し得るようになる、前記２つの構成要素のための係止手段とを備えており、該係止手段は、少なくとも１つの係止組立体を備えており、前記多条ねじ接続部のねじの条および前記係止組立体の相対的な数および／または位置が、前記受け部に対する前記靴スタッドの最初の位置および最終の位置を決定するようになされている。
【０００９】
受け部に対するスタッドの最初の向き及び最終的な向きの双方が決定されると、スタッドは、受け部に対し、従って、靴のソールに対して特定の向きに決められることができる。
【００１０】
多条ねじ接続部は、スタッドを取り付け且つ取り外すのに必要とされる回転数を少なくし得るように二条ねじ、三条ねじ又はより多数の条のねじを有することができる。
ねじの条の双方又は全ては、同一構造であることが好ましい。１つ又は複数の係止組立体の数および／または位置によって、受け部に対するスタッドの最初の位置が決定される。例えば、ねじ接続部が二条ねじであるならば、３つの係止組立体を設けることができるが、これらの係止組立体の配置は、スタッドが１つの向きにあるときにはねじ接続部が係合状態となるのは許容するが、スタッドが反対側の向きにあるときには、係止組立体が係合しはじめることができないから、ねじ接続部が係合状態となるのを阻止するようになされる。
【００１１】
ねじ接続部が三条ねじであり、２つ又は４つの係止組立体があるならば、同様の効果が得られるであろう。一般に、ねじの条及び係止組立体の各々の数が相対的に重要であるならば、受け部に対するスタッドの最初の位置を画定し得るようにねじの条及び係止組立体を容易に構成することができる。
【００１２】
１つ以上の係止組立体が存在する１つの代替的な構造において、係止組立体の１つは、他のものと異なる構造のものとすることができる。このことは、受け部に対するスタッドの最初の位置が決定されることを保証するのに役立つ。
【００１３】
係止手段は、スタッドおよび受け部に形成されて半径方向を向いた係止形態物によって形成された係止組立体を含むことが望ましい。スタッドおよび受け部に形成された係止形態物は、スピゴットが所定の軸方向位置までソケット内にねじ込まれたとき、互いに係合するように作用可能である。係止形態物の１つは、少なくとも１つの半径方向突起を備える一方、その他の係止形態物は、半径方向を向いた導入傾斜路、凹所及びストッパ手段を少なくとも備えている。突起は、凹所内にスナップ嵌めする前に、導入傾斜路上に乗り上げ、次に、ストッパ手段と係合してスタッドがソケット内に更にねじ込まれるのを阻止する。係止組立体は、所定のトルクが加わったとき、係止形態物の弾性的降伏によりスタッドがねじゆるみ抜けするのを許容する。突起及び導入傾斜路は、スピゴット又はソケットを取り巻く、軸方向に延びるウェブ上に形成することができる。１つの係止組立体の突起は、１つ又は複数の他の突起よりも軸方向への延びが大きく、相応する導入傾斜路の軸方向への延びは小さい。この突起が他の導入傾斜路の１つと係合するならば、この突起は、スピゴット及びソケットにおけるねじを非係合状態に保持し、これにより、ねじが誤った最初の位置に挿入されるのを阻止する。
【００１４】
係止組立体をねじに相対的に周方向に配置し、受け部に対するスタッドの正確な最終的な向きを保証することは容易である。このため、スタッドは、特定の向きにされるスタッドとされ、特に、非回転対称のスタッドとされることができる。
【００１５】
本発明の１つの実施の形態について、添付図面に関して単に一例として説明する。
【発明を実施するための最良の形態】
【００１６】
図１ないし図３には、ゴルフ靴（図示せず）のようなスポーツ靴にて使用するのに適したスタッド１が示されている。該スタッド１は、スポーツ靴のソール及びヒールに成形されるか又はさもなければその他の方法で固定された、図４及び図５に示した受け部２内に回転しながら挿入され、且つ、該受け部２内に受け入れられ得るようになされている。
【００１７】
スタッド１は、プラスチック材料の単一物モールド成形品であり、また、円形のフランジ３を有している。地面係合スパイク４は、フランジ３の下側部から突き出す一方、外ねじ付きスピゴット５は、フランジ３の上側部から突き出している。スパイク４は、回転非対称であるように配置される。スタッド１のスパイク４は、回転非対称であるため、靴のソールに対し使用時の向きを決める必要がある。スタッド１の向きを受け部２内で決めることは、この最初の段階である。
【００１８】
スピゴット５における外ねじは、比較的急峻なヘリックス角度を有する二条ねじ６であり、このため、スタッド１は、約１／３回転にて受け部２内に挿入することができる。ねじが比較的急峻なヘリックス角度であるため、スタッド１のねじゆるみ抜けに対する摩擦抵抗は比較的小さい。このため、スタッド１及び受け部２は、スタッド１を受け部２内に固定する作用を果たすとともに受け部２に対するその最初の位置及び最終的位置を画成するための係止手段７を有している。
【００１９】
係止手段７は、スタッド１及び受け部２において互いに協働する部分を有する３つの係止組立体８を備えている。スピゴット５における２つのねじ６に対する係止組立体８の位置は、スタッド１が１つの向きにてのみ挿入でき、これにより最初の位置を画定することができることを保証し得るような配置とされている。
【００２０】
スタッド１に設けられた係止組立体８の各々の部分は、突起９である。突起の各々は、リング１１から軸方向に延びる部分円筒状のウェブ１０を含んでいる。リング１１自身は、フランジ３から軸方向に突き出し、スピゴット５と同軸状になり、且つ、スピゴット５から半径方向に隔てられている。突起９の各々は、ウェブ１０の前端（ねじ締め付け方向に向けて）に設けられた軸方向に延びるリブ１２としての、半径方向外方に延びる係止突起を有している。リブ１２は実質的に矩形の外形をしており、ウェブの円筒状外面１３から垂直に突き出す。ウェブの後端１４は角度が付けられており、このため、ウェブ１０がリング１１と一緒になる箇所たる、ウェブ１０の下端の周方向寸法は、その上端の周方向寸法よりも大きい。
【００２１】
突起９´の１つは、その他の２つよりも高い軸方向高さを有し、例えば、スピゴット５の軸方向高さのおよそ３／４だけ延びている。その他２つの突起の軸方向高さは、スピゴット５の高さの約１／２である。
【００２２】
図４及び図５の受け部２もまた、プラスチック材料の単一物モールド成形品である。該受け部は、該受け部２から垂下する中央ボス１６を有する円形の頂部板１５を有している。ボス１６を越えて半径方向外方に突き出す頂部板１５の一部分により、環状の錨止（定着）フランジ１７が形成されている。フランジ１７は、該フランジ１７を靴のソール又はヒールに錨止（定着）するのに役立つ開口１８と、その周縁の１点における凹部１９とを有している。該凹部１９は、靴のソール又はヒール内における受け部２の向きを決めるために使用される。
【００２３】
ボス１６は、堅牢な円筒状内壁２０と、比較的薄く且つ僅かに可撓性を有する外壁２１とを備えている。壁２０、２１は互いに同軸状である。内壁２０は、スピゴット５を受け入れ得るようにされた内ねじ付きソケット２２を形成する。ソケット２２もまた二条ねじを有している。内壁２０の半径方向外面２３及び外壁２１の半径方向内面２４は、スタッド１のウェブ１０を受け入れ得るようにされた環状の空間２５を該面の間に画成し得るように隔てられている。係止組立体８の協働する部品も環状空間２５内に受け入れられる。
【００２４】
受け部に設けられた係止組立体８の各々の部品は、半径方向内方を向くように内面２４に形成された、外面２１における係止形態物を備えている。係止形態物の各々は、１つの周方向側部にて導入傾斜路２７により、及び、反対側部にてストッパ２８により境界付けされた凹所２６を有している。傾斜路２７は、外壁２１の外周の約１／８に渡って延びている。ストッパ２８の各々は、外壁２１の内面２４から内壁２０の外面２３まで延びている。傾斜路２７の各々の最大軸方向高さはそのストッパ２８の最大軸方向高さとほぼ等しい。傾斜路２７及びストッパ２８の２つは、壁２０、２１の軸方向高さの約３／４の軸方向高さを有する一方、第三の傾斜路２７´及びストッパ２８´はより低い軸方向高さを有する。このことは、突起９、９´の軸方向高さが相違することと相俟って、以下により詳細に説明するように、受け部２に対するスタッド１の最初の位置を画定するのに役立つ。突起１２がストッパ２８と係合することは、その最終位置を画定することになる。
【００２５】
使用時、受け部２をスポーツ靴のソール又はヒール内に組み込む。通常、受け部２は靴のソール又はヒール内に成形される。スタッド１は特定の向きに決められる必要があるから、受け部２も靴のソール又はヒール内で正確に向きを決められなければならない。凹部１９は、受け部２のモールド内での向きを決めるのに使用することができる。
【００２６】
スタッド１は、スピゴット５をソケット２２内に挿入することにより受け部２内に取り付けられ、これと同時に、突起９は環状空間２５内に受け入れられる。スピゴット５のねじ６は二条ねじであるから、該スピゴットがソケット２２と係合することができる２つの可能な向きがある。しかし、３つの係止組立体８を配置することにより、スタッド１を１つの特定な向きに向かわせることになる。それは、その他の向きの場合、突起９は、ストッパ２８の軸方向面と係合することで空間２５に入るのが阻止されるからである。更に、突起９´がより高い軸方向高さを有するストッパ２８と係合するならば、スピゴット５及びソケット２２のねじは非係合状態に保持されよう。ねじが係合し始めることができるのは、スピゴット５が正確な最初の位置にあるときのみである。スタッド１を回転させると、スピゴット５はソケット２２内に引き込まれ、リブ１２は空間２５内に引き込まれる。スタッド１を完全に挿入するには、約１／３回転させればよいようなねじ６の構造とする。挿入動作の最後の部分にて、係止突起１２は導入傾斜路２７と係合し、次に、傾斜路２７とストッパ２８との間の凹所２６内にスナップ嵌めする。このため、突起１２がストッパ２８と係合することで更なる回転が阻止される。突起１２が傾斜路２８に乗り上げるとき、外壁２１は弾性的に変形するが、突起１２が凹所２６に到達するとき、その当初の形状に戻る。突起１２が凹所２６内にスナップ嵌めするとき、突起はカチッという音を発生させ、このことは、感触を得、および／または、聞くことができることにより、スタッド１の挿入が完了したことを知らせる。
【００２７】
このように、受け部２内のスタッド１の最終位置が係止手段７によって決定される。
受け部２内のスタッド１の最初の位置及び最終位置を決定する可能性を依然として保持しつつ、ねじ６の条及び係止組立体８の相対的な数及び位置を変更することが可能であることが理解されよう。また、構成要素の一方から軸方向に延びるリング状配列のポスト（支柱）及び他方の構成要素における半径方向に突き出すリング状配列の歯のような、異なる型式の係止手段（図示せず）を採用することも可能である。スピゴットがソケット内にねじ込まれると、歯がポストと係合することにより、ポストは弾性的に偏向し、また、歯がポストの間にて係合することにより、係止手段は相互に係合する。勿論、ポスト及び歯は、ソケット及びスピゴットのねじが１つの向きにのみあるならば、ポスト及び歯の係合を許容するように配置しなければならない。
【図面の簡単な説明】
【００２８】
【図１】靴スタッドの頂面図である。
【図２】図１のスタッドの斜視図である。
【図３】図１のスタッドの側面図である。
【図４】図１ないし図３のスタッドに対する受け部の下側平面図である。
【図５】図６の受け部の斜視図である。
【図１】
2005522252.tif 000003
【図２】
2005522252.tif 000004
【図３】
2005522252.tif 000005
【図４】
2005522252.tif 000006
【図５】
2005522252.tif 000007
【国際調査報告】
2005522252.tif 000008
2005522252.tif 000009
2005522252.tif 000010
2005522252.tif 000011